Podtech/llm-jp-corpus-v4-ja_patent huggingface dataset:
【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
エネルギー吸収構造体において、
互いに接続された対向する壁部を有する第１のポリマーパネル部材及び第２のポリマーパネル部材であって、前記対向する壁部がそれぞれ、それらの間に少なくとも１つの空洞部を形成する少なくとも一対のクラッシュローブを形成しており、前記クラッシュローブそれぞれは、前記クラッシュローブが互いに向かって圧潰する圧潰位置と、前記クラッシュローブが実質的に互いに反対方向に拡張する拡張位置との間で移動可能である、第１のポリマーパネル部材及び第２のポリマーパネル部材と、
前記空洞部に接続され且つ衝撃を受ける前に前記クラッシュローブを拡張させるように構成されたインフレータと
を備えるエネルギー吸収構造体。
【請求項２】
前記第１のパネル部材及び前記第２のパネル部材は、別々に成形され、機械的な取付、接着剤接着、熱接着又は溶着のうちの１つによって取り付けられる請求項１に記載の構造体。
【請求項３】
前記第１のパネル部材及び前記第２のパネル部材は、ブロー成形又は射出成形のうちの一方によって同時に成形される請求項１に記載の構造体。
【請求項４】
前記インフレータは、前記少なくとも一対のクラッシュローブを前記収縮位置から前記拡張位置へ拡張させるためのガスを供給し、それによって前記少なくとも一対のクラッシュローブのそれぞれは、前記収縮位置にある場合により短いクラッシュストロークを提供し、前記拡張位置にある場合により長いクラッシュストロークを提供する請求項１に記載の構造体。
【請求項５】
前記少なくとも一対のクラッシュローブは順次拡張するように構成される請求項１に記載の構造体。
【請求項６】
前記少なくとも一対のクラッシュローブは同時に拡張するように構成される請求項１に記載の構造体。
【請求項７】
前記少なくとも一対のクラッシュローブは、衝撃を受けた時に同時に圧潰する請求項１に記載の構造体。
【請求項８】
前記少なくとも一対のクラッシュローブはそれぞれ、エネルギー吸収のレベルが異なる請求項１に記載の構造体。
【請求項９】
前記少なくとも一対のクラッシュローブは、伸長する際に広げられ、衝撃を受ける間、加えられたエネルギーを吸収するためにうねるように変形する構成されたオフセット部を、前記少なくとも一対のクラッシュローブの側壁部に有する請求項１に記載の構造体。
【請求項１０】
前記パネル部材のうちの少なくとも一方は、衝撃を受ける間、前記空洞部からの流体の排出を制御するメカニカルヒューズを有する請求項１に記載の構造体。
【請求項１１】
前記駆動装置は、ガスの容器又はガス発生物質を保持する容器のうちの一方を備える請求項１に記載の構造体。
【請求項１２】
少なくとも１つのクラッシュローブを内部にそれぞれ有する２つのパネルを形成するステップと、
前記２つのパネルを取り付けるステップであって、前記少なくとも１つのクラッシュローブが密封された空洞部を形成するように一列に並べられ且つ互いに対向する方向に面するが、圧潰位置にある状態とするステップと、
前記クラッシュローブを伸張位置に伸張させるようにインフレータを前記空洞部に接続するステップと
を含む方法。
【請求項１３】
前記クラッシュローブを前記伸張位置から前記圧潰位置に向けて圧壊する衝撃を受ける前に、前記インフレータを動作させて前記クラッシュローブを前記伸張位置に移動させる請求項１２に記載の方法。
【請求項１４】
前記クラッシュローブを前記圧潰位置から前記伸張位置へ同時に伸張させるステップを含む請求項１２に記載の方法。
【手続補正２】
【補正対象書類名】図面
【補正対象項目名】図２
【補正方法】変更
【補正の内容】
【図２】
2012531352.tif 000001
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
車両のシャフトの端部に取り付けられる中央の穴（１１）および固定ボルトを通すための複数の偏心した穴（１２）が設けられた中央のディスク（１０）と、車両のタイヤを保持するように構成された外周のリング（２０）とによって形成される本体（Ｃ）を備える形式のポリマー材料からなるホイールであって、
本体（Ｃ）が、４０％〜７０％の熱可塑性ポリマーマトリクスと、３０％〜６０％の合成繊維と、０．０１％〜１０％の添加剤とを均質混合にて含むポリマー複合材料で、単一部品にて射出成型され、
中央の穴（１１）が、軸方向の最も内側に位置する取り付け部（１１ａ）を有しており、偏心した穴（１２）が、軸方向の最も内側に位置する円柱形部分（１２ａ）と、軸方向の最も外側に位置する円錐台形状の部分（１２ｂ）とを有しており、中央の穴（１１）の取り付け部（１１ａ）によって定められる部位および偏心した穴（１２）によって定められる部位のうちの少なくとも１つが、その軸方向の延在の少なくとも一部分について、ホイールの本体（Ｃ）の中央のディスク（１０）に軸方向および半径方向に固定される金属合金によるそれぞれのインサート（３０、４０）によって内側から覆われ、
偏心した穴（１２）のすべてのインサート（４０）が、中央の穴（１１）の取り付け部（１１ａ）を覆う筒状のインサート（３０）に結合して単一部品となっていることを特徴とするホイール。
【請求項２】
熱可塑性ポリマーマトリクスが、ポリアミド（ＰＡ）であることを特徴とする、請求項１に記載のホイール。
【請求項３】
添加剤が、相溶化剤、経年劣化抑制剤、熱安定剤、ＵＶ吸収剤、難燃剤、加工助剤、一次および二次酸化抑制剤、ならびに顔料によって定められる成分のうちの少なくとも１つによって定められることを特徴とする、請求項２に記載のホイール。
【請求項４】
ホイールの本体（Ｃ）を形成するポリマー複合材料が、少なくとも１つのインサート（３０、４０）の周囲に成型されることを特徴とする、請求項１に記載のホイール。
【請求項５】
本体（Ｃ）の中央のディスク（１０）の中央の穴（１１）または偏心した穴（１２）のそれぞれに少なくとも１つのインサート（３０、４０）を有することを特徴とする、請求項１に記載のホイール。
【請求項６】
偏心した穴（１２）の円錐台形状の部位（１２ｂ）および円柱形部位（１２ａ）の隣接する領域だけが、各々のインサート（４０）によって内側から覆われていることを特徴とする、請求項１、４および５のいずれか一項に記載のホイール。
【手続補正書】
【提出日】平成25年6月14日(2013.6.14)
【手続補正１】
【補正対象書類名】明細書
【補正対象項目名】００１７
【補正方法】変更
【補正の内容】
【００１７】
触媒調製方法は、担体調製工程の間に、リンおよび単数または複数のプロモータＸ１を導入する工程を含む。本発明の触媒の特徴である３１Ｐ  ＭＡＳ  ＮＭＲにおいて観察されるシグナルは、リンおよび単数または複数の元素Ｘ１が、合成の間または担体の成形の間に一緒に導入される場合に得られる。
【手続補正書】
【提出日】平成25年6月14日(2013.6.14)
【手続補正１】
【補正対象書類名】明細書
【補正対象項目名】００１９
【補正方法】変更
【補正の内容】
【００１９】
本発明の触媒の調製方法は、一般的に以下の工程を含む：
ａ）  サブ工程ａ１）またはａ２）の一方の間に、単数または複数のプロモータＸ１およびリンを導入する工程、ここで、前記サブ工程ａ１）は、主要酸化物の前駆体の合成に相当し、前記サブ工程ａ２）は担体の成形に相当する；
ｂ）  サブ工程ａ１）およびａ２）のうち少なくとも一方の間にスズを導入する工程、ここで、工程ａ）およびｂ）は場合により連続的にあるいは同時に行われる；
ｃ）  工程ｂ）の終わりに得られた生成物を乾燥させる工程；
ｄ）  工程ｃ）で得られた生成物を、３５０〜６５０℃の範囲の温度で焼成する工程；
ｅ）  白金族からの少なくとも１種の金属Ｍを沈着させる工程；
ｆ）  中性ガス流または酸素含有ガス流中で、１５０℃を越えない中程度の温度で乾燥させる工程；
ｇ）  工程ｆ）で得られた生成物を、３５０〜６５０℃の範囲の温度で焼成する工程。
【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
不純物を含む循環水系に添加される組成物であって、カチオン化された成分、多塩基性金属塩、及びポリマーを含む組成物。
【手続補正書】
【提出日】平成25年6月12日(2013.6.12)
【手続補正１】
【補正対象書類名】特許請求の範囲
【補正対象項目名】全文
【補正方法】変更
【補正の内容】
【特許請求の範囲】
【請求項１】
排水を処理するための装置であって、
該排水を受容するための少なくとも１つの入口並びに少なくとも１つの陽極及び少なくとも１つの陰極を備える、該排水から汚染物質の第一の部分を除去するための電気凝固ユニットであり、該陽極及び該陰極が電源に接続されている電気凝固ユニットと、
該排水中の汚染物質の第二の部分を酸化するための電気酸化ユニットであって、該電気凝固ユニットから該排水を受容するための少なくとも１つの入口と、少なくとも１つの陽極と、オキシダントが電気的に生成される少なくとも１つの陰極と、排水を排出するための少なくとも１つの出口と、を備える電気酸化ユニットと、
該排水からオキシダントを除去するためのオキシダント除去ユニットであって、該電気酸化ユニットから該排水を受容するための少なくとも１つの入口と、オキシダント除去プロセスの間に該排水を含むための容器と、該装置から処理された排水を廃棄するための少なくとも１つの出口と、を備えるオキシダント除去ユニットと、
を備える装置。
【請求項２】
前記オキシダント除去ユニットからの金属酸化物が、該上流位置に供給され得るように、該オキシダント除去ユニットと任意の他の上流位置との間にループをさらに備える請求項１に記載の装置。
【請求項３】
電気浮上ユニットをさらに備え、少なくとも１つの陽極及び少なくとも１つの陰極が、電源に接続され、該電気浮上ユニットは、前記電気凝固ユニットから下流で、かつ前記電気酸化ユニットから上流であって、該電気凝固ユニットの排水から残留の懸濁された汚染物質の除去を保証する請求項１又は２に記載の装置。
【請求項４】
電気酸化ユニットにおいてホウ素をドープしたダイヤモンドコーティング電極をさらに備える請求項１〜３のいずれか１項に記載の装置。
【請求項５】
二酸化炭素、酸化還元電位、流速、圧力、温度、塩素、濁度、ｐＨ、伝導率、特定のイオン表面張力、電流及び／又は電圧に関する１つ以上のセンサーからの入力を受容するように適合されたコントローラーをさらに備え、該コントローラーが、各々のユニットにおける該入力の関数として処理パラメーターを制御するようにプログラムされている請求項１〜４のいずれか１項に記載の装置。
【請求項６】
前記電気凝固ユニットがさらに、いくつかの周辺装置を共有する少なくとも２つの独立した電気凝固の区画に該電気凝固ユニットを仕切るための少なくとも１つの分離壁を備え、該各々の区画が、任意の他の該ユニットに部分的に処理された排水を提供するように適合された入口及び出口を有する請求項１〜５のいずれか１項に記載の装置。
【請求項７】
前記コントローラーは、オキシダントのレベルを決定するために、少なくとも１つの酸化還元電位センサー及び塩素センサーからの入力を受容するものであり、前記塩素センサーは、前記酸化還元電位センサーが所定の閾値に達する時に作動するようになっている請求項５又は６に記載の装置。
【請求項８】
ＣＯ2測定値の関数として排水処理システム中の酸化反応を制御するためのデバイスをさらに備え、該デバイスは、酸化チャンバと流体連通するＣＯ2センサーを有しており、前記酸化チャンバは、処理レベル及び／又は進行を制御するための酸化チャンバコントローラーに、ＣＯ2の量に対して入力を送出する請求項１〜７のいずれか１項に記載の装置。
【請求項９】
排水を処理するためのプロセスであって、
電気凝固ユニット中で該排水の汚染物質を電気凝固する工程と、
電気酸化ユニット中で該排水の汚染物質を電気酸化する工程と、
電極から金属イオンを遊離して、残留オキシダントと反応させ、オキシダント除去ユニット中で排水から分離され得る金属酸化物を生じる工程と、
を有するプロセス。
【請求項１０】
電気凝固ユニットの後又は電気酸化ユニットの前に電気浮上ユニットと気泡浮上ユニットとの少なくとも一方を介して排水を通過させる工程をさらに有する請求項９に記載のプロセス。
【請求項１１】
油状の排水が１５ｐｐｍを超えるオイル含量を含み、かつ前記処理された排水が１５ｐｐｍ未満のオイル含量に対して国際海洋投棄基準に適合する請求項９又は１０に記載のプロセス。
【請求項１２】
前記オキシダント除去ユニットから前記電気凝固ユニット又はオキシダント除去単位の任意の上流の位置へ前記金属酸化物の少なくとも一部を再循環する工程をさらに有する請求項９〜１１のいずれか１項に記載のプロセス。
【請求項１３】
前記酸化チャンバから排出された液体中のｐＨと、塩素含量と、気体中の二酸化炭素の量との内の１つ以上を測定する工程と、該結果を該排水の汚染除去のレベルとして用いる工程と、をさらに有する請求項９〜１２のいずれか１項に記載のプロセス。
【請求項１４】
各々のユニット中で経過する時間を調節する工程と、後続ユニットへの排水の進行を可能にする工程と、をさらに有する請求項９〜１３のいずれか１項に記載のプロセス。
【請求項１５】
前記電気酸化する工程が処理進行の指標を測定する工程をさらに有し、前記指標は二酸化炭素であり、前記酸化反応を前記指標の関数として調節する請求項９〜１４のいずれか１項に記載のプロセス。
【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
一定量のＳＤＡ富化ダイズ油を含んでなる飲料組成物。
【請求項２】
ａ．ＳＤＡ富化ダイズ油を飲料ミックスに添加するステップと；
ｂ．前記ＳＤＡ富化ダイズ油および飲料ミックスを混合して、飲料組成物を形成するステップ
を含んでなる、ＳＤＡ富化ダイズ油を使用して飲料組成物を形成する方法。
【手続補正２】
【補正対象書類名】明細書
【補正対象項目名】０１１３
【補正方法】変更
【補正の内容】
【０１１３】
本発明を例示的実施態様との関連で説明したが、説明を読めば当業者には、その様々な修正が明白であるものと理解される。したがって本明細書で開示される発明は、添付の特許請求の範囲に入る修正を含むことが意図されるものと理解される。
次に、本発明の態様を示す。
１.  一定量のＳＤＡ富化ダイズ油を含んでなる飲料組成物。
２.  安定剤をさらに含んでなる、上記１に記載の飲料組成物。
３.  前記安定剤がリン脂質またはリン脂質の組み合わせである、上記２に記載の飲料組成物。
４.  前記安定剤が、レシチン、ホスファチジルコリン、ホスファチジルエタノールアミン、ホスファチジルイノシトール、ホスファチジルセリン、ジホスファチジルグリセロール、ジパルミトイルホスファチジルコリン、１−ステアリオイル−２−ミリストイルホスファチジルコリン、または１−パルミトイル−２−リノレオイルエタノールアミン、およびそれらの混合物からなる群から選択される、上記３に記載の飲料組成物。
５.  前記安定剤が、前記ＳＤＡ富化ダイズ油の約０．１重量％〜約６５重量％の範囲である、上記２〜４のいずれか一項に記載の飲料組成物。
６.  タンパク質をさらに含んでなる、上記１〜５のいずれか一項に記載の飲料組成物。
７.  前記タンパク質が、ダイズタンパク質、エンドウ豆タンパク質、乳タンパク質、米タンパク質、コラーゲン、およびそれらの組み合わせからなる群から選択される、上記６に記載の飲料組成物。
８.  食事代替飲料、プロテインシェーク、乳製品ベースの飲料、スムージー、コーヒーベースの飲料、栄養補給飲料、臨床栄養液、体重管理飲料、茶ベースの飲料、チャイ、アルコール飲料、スポーツ栄養飲料、エナジードリンク、乳飲料、実質的に透明な飲料、ジュース飲料、ダイズ飲料、ボトル入り飲料水、果実フレーバー飲料、炭酸飲料、等張飲料、即席酸性飲料、即席中性飲料、およびそれらの組み合わせからなる群から選択される、上記１〜７のいずれか一項に記載の飲料組成物。
９.  前記ＳＤＡ富化ダイズ油が、ＳＤＡ富化ダイズ油、ＳＤＡ富化非脱脂ダイズ粉、およびそれらの組み合わせからなる群から選択される、上記１に記載の飲料組成物。
１０.  アスコルビン酸およびその塩、パルミチン酸アスコルビル、ステアリン酸アスコルビル、アノキソマー、Ｎ−アセチルシステイン、イソチオシアン酸ベンジル、ｏ−、ｍ−またはｐ−アミノ安息香酸（ｏはアントラニル酸であり、ｐはＰＡＢＡである）、ブチル化ヒドロキシアニソール（ＢＨＡ）、ブチル化ヒドロキシトルエン（ＢＨＴ）、コーヒー酸、カンタキサンチン、α−カロテン、β−カロテン、β−アポ−カロテン酸、カルノソール、カルバクロール、没食子酸セチル、クロロゲン酸、クエン酸およびその塩、クローブ抽出物、コーヒー豆抽出物、ｐ−クマル酸、３，４−ジヒドロキシ安息香酸、Ｎ，Ｎ’−ジフェニル−ｐ−フェニレンジアミン（ＤＰＰＤ）、チオジプロピオン酸ジラウリル、チオジプロピオン酸ジステアリル、２，６−ジ−ｔｅｒｔ−ブチルフェノール、没食子酸ドデシル、エデト酸、エラグ酸、エリソルビン酸、エリソルビン酸ナトリウム、エスクレチン、エスクリン、６−エトキシ−１，２−ジヒドロ−２，２，４−トリメチルキノリン、没食子酸エチル、エチルマルトール、エチレンジアミン四酢酸（ＥＤＴＡ）、ユーカリノキ抽出物、オイゲノール、フェルラ酸、フラボノイド（例えばカテキン、エピカテキン、没食子酸エピカテキン、エピガロカテキン（ＥＧＣ）、没食子酸エピガロカテキン（ＥＧＣＧ）、ポリフェノールエピガロカテキン−３−ガラート）、フラボン（例えばアピゲニン、クリシン、ルテオリン）、フラボノール（例えばダチセチン、ミリセチン、ダエンフェロ）、フラバノン、フラキセチン、フマル酸、没食子酸、ゲンチアナ抽出物、グルコン酸、グリシン、グアヤクゴム、ヘスペレチン、α−ヒドロキシベンジルホスフィン酸、ヒドロキシケイ皮酸、ヒドロキシグルタル酸、ヒドロキノン、Ｎ−ヒドロキシコハク酸、ヒドロキシトリロソール、ヒドロキシ尿素、乳酸およびその塩、レシチン、レシチンシトラート；Ｒ−α−リポ酸、ルテイン、リコペン、リンゴ酸、マルトール、５−メトキシトリプタミン、没食子酸メチル、モノグリセリドシトラート；クエン酸モノイソプロピル；モリン、β−ナフトフラボン、ノルジヒドログアヤレチン酸（ＮＤＧＡ）、オクチル没食子酸、シュウ酸、クエン酸パルミチル、フェノチアジン、ホスファチジルコリン、リン酸、ホスフェート、フィチン酸、フィチルユビクロメル、ピメント抽出物、没食子酸プロピル、ポリリン酸塩、ケルセチン、ｔｒａｎｓ−レスベラトロール、米糠抽出物、ローズマリー抽出物、ロスマリン酸、セージ抽出物、セサモール、シリマリン、シナピン酸、コハク酸、クエン酸ステアリル、シリング酸、酒石酸、チモール、トコフェロール（すなわちα−、β−、γ−、およびδ−トコフェロール）、トコトリエノール（すなわちα−、β−、γ−、およびδ−トコトリエノール）、チロソール、バニル酸、２，６−ジ−ｔｅｒｔ−ブチル−４−ヒドロキシメチルフェノール（すなわちＩｏｎｏｘ  １００）、２，４−（トリス−３’，５’−ｂｉ−ｔｅｒｔ−ブチル−４’−ヒドロキシベンジル）−メシチレン（すなわちＩｏｎｏｘ  ３３０）、２，４，５−トリヒドロキシブチロフェノン、ユビキノン、三級ブチルヒドロキノン（ＴＢＨＱ）、チオジプロピオン酸、トリヒドロキシブチロフェノン、ト���プタミン、チラミン、尿酸、ビタミンＫおよび誘導体、ビタミンＱ１０、小麦胚芽油、ゼアキサンチン、またはそれらの組み合わせからなる群から選択される二次抗酸化剤をさらに含んでなる、上記１〜９のいずれか一項に記載の飲料組成物。
１１.  前記飲料組成物が、トコフェロール、パルミチン酸アスコルビル、アスコルビン酸、ローズマリー抽出物、緑茶抽出物、およびそれらの組み合わせからなる群から選択される二次抗酸化剤を含んでなる、上記１に記載の飲料組成物。
１２.  前記飲料組成物の官能的特性が従来の飲料の官能的特性に匹敵する、上記１に記載の飲料組成物。
１３.  ａ．ＳＤＡ富化ダイズ油を飲料ミックスに添加するステップと；
ｂ．前記ＳＤＡ富化ダイズ油および飲料ミックスを混合して、飲料組成物を形成するステップ
を含んでなる、ＳＤＡ富化ダイズ油を使用して飲料組成物を形成する方法。
１４.  前記ＳＤＡ富化ダイズ油が、前記飲料組成物中で必要とされる脂肪または油の約１％〜約１００％を構成する、上記１３に記載の方法。
１５.  安定剤が前記飲料組成物に添加される、上記１３または１４に記載の方法。
１６.  前記二次抗酸化剤が、前記ＳＤＡ富化ダイズ油の０．００１重量％〜約５重量％の範囲の量で添加される、上記１３〜１５のいずれか一項に記載の方法。
【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
ａ．一定量のＳＤＡ富化ダイズ油；および
ｂ．安定剤
を含んでなる、一定量のω−３脂肪酸を有する食物組成物。
【請求項２】
ａ．ＳＤＡ富化ダイズ油を生地に添加するステップと；
ｂ．前記生地を焼くステップ
を含んでなる、ＳＤＡ富化ダイズ油を使用してベイクド製品を形成する方法。
【手続補正２】
【補正対象書類名】明細書
【補正対象項目名】０１０５
【補正方法】変更
【補正の内容】
【０１０５】
本発明を例示的実施態様との関連で説明したが、説明を読めば当業者には、その様々な修正が明白であるものと理解される。したがって本明細書で開示される発明は、添付の特許請求の範囲に入る修正を含むことが意図されるものと理解される。
次に、本発明の態様を示す。
１.  ａ．一定量のＳＤＡ富化ダイズ油；および
ｂ．安定剤
を含んでなる、一定量のω−３脂肪酸を有する食物組成物。
２.  ベイクド食品組成物、バー組成物、およびそれらの組み合わせからなる群から選択される、上記１に記載の食物組成物。
３.  ダイズタンパク質、エンドウ豆タンパク質、乳タンパク質、およびそれらの組み合わせからなる群から選択されるタンパク質を含む、上記１または上記２に記載の組成物。
４.  前記食物組成物が、朝食用シリアル、パン、ベイクド製品、ケーキ、パイ、ロール、クッキー、クラッカー、トルティーヤ、生地、グラノーラバー、栄養バー、エネルギーバー、シートおよびカットバー、押し出しバー、ベイクドバー、およびそれらの組み合わせからなる群から選択される、上記１〜３のいずれか一項に記載の組成物。
５.  前記ＳＤＡ富化ダイズ油が、ＳＤＡ富化ダイズ油、ＳＤＡ富化ダイズ粉、およびそれらの組み合わせからなる群から選択される、上記１〜４のいずれか一項に記載の組成物。
６.  前記安定剤がリン脂質またはリン脂質の組み合わせである、上記１に記載の組成物。
７.  前記安定剤が、レシチン、ホスファチジルコリン、ホスファチジルエタノールアミン、ホスファチジルイノシトール、ホスファチジルセリン、ジホスファチジルグリセロール、ジパルミトイルホスファチジルコリン、１−ステアリオイル−２−ミリストイルホスファチジルコリン、または１−パルミトイル−２−リノレオイルエタノールアミン、およびそれらの混合物からなる群から選択される、上記１に記載の組成物。
８.  前記安定剤が、前記ＳＤＡ富化ダイズ油の約０．１重量％〜約６５重量％の範囲である、上記１に記載の組成物。
９.  アスコルビン酸およびその塩、パルミチン酸アスコルビル、ステアリン酸アスコルビル、アノキソマー、Ｎ−アセチルシステイン、イソチオシアン酸ベンジル、ｏ−、ｍ−またはｐ−アミノ安息香酸（ｏはアントラニル酸であり、ｐはＰＡＢＡである）、ブチル化ヒドロキシアニソール（ＢＨＡ）、ブチル化ヒドロキシトルエン（ＢＨＴ）、コーヒー酸、カンタキサンチン、α−カロテン、β−カロテン、β−カロテン、β−アポ−カロテン酸、カルノソール、カルバクロール、没食子酸セチル、クロロゲン酸、クエン酸およびその塩、クローブ抽出物、コーヒー豆抽出物、ｐ−クマル酸、３，４−ジヒドロキシ安息香酸、Ｎ，Ｎ’−ジフェニル−ｐ−フェニレンジアミン（ＤＰＰＤ）、チオジプロピオン酸ジラウリル、チオジプロピオン酸ジステアリル、２，６−ジ−ｔｅｒｔ−ブチルフェノール、没食子酸ドデシル、エデト酸、エラグ酸、エリソルビン酸、エリソルビン酸ナトリウム、エスクレチン、エスクリン、６−エトキシ−１，２−ジヒドロ−２，２，４−トリメチルキノリン、没食子酸エチル、エチルマルトール、エチレンジアミン四酢酸（ＥＤＴＡ）、ユーカリノキ抽出物、オイゲノール、フェルラ酸、フラボノイド（例えばカテキン、エピカテキン、没食子酸エピカテキン、エピガロカテキン（ＥＧＣ）、没食子酸エピガロカテキン（ＥＧＣＧ）、ポリフェノールエピガロカテキン−３−ガラート）、フラボン（例えばアピゲニン、クリシン、ルテオリン）、フラボノール（例えばダチセチン、ミリセチン、ダエンフェロ）、フラバノン、フラキセチン、フマル酸、没食子酸、ゲンチアナ抽出物、グルコン酸、グリシン、グアヤクゴム、ヘスペレチン、α−ヒドロキシベンジルホスフィン酸、ヒドロキシケイ皮酸、ヒドロキシグルタル酸、ヒドロキノン、Ｎ−ヒドロキシコハク酸、ヒドロキシトリロソール、ヒドロキシ尿素、乳酸およびその塩、レシチン、レシチンシトラート；Ｒ−α−リポ酸、ルテイン、リコペン、リンゴ酸、マルトール、５−メトキシトリプタミン、没食子酸メチル、モノグリセリドシトラート；クエン酸モノイソプロピル；モリン、β−ナフトフラボン、ノルジヒドログアヤレチン酸（ＮＤＧＡ）、オクチル没食子酸、シュウ酸、クエン酸パルミチル、フェノチアジン、ホスファチジルコリン、リン酸、ホスフェート、フィチン酸、フィチルユビクロメル、ピメント抽出物、没食子酸プロピル、ポリリン酸塩、ケルセチン、ｔｒａｎｓ−レスベラトロール、米糠抽出物、ローズマリー抽出物、ロスマリン酸、セージ抽出物、セサモール、シリマリン、シナピン酸、コハク酸、クエン酸ステアリル、シリング酸、酒石酸、チモール、トコフェロール（すなわちα−、β−、γ−、およびδ−トコフェロール）、トコトリエノール（すなわちα−、β−、γ−、およびδ−トコトリエノール）、チロソール、バニル酸、２，６−ジ−ｔｅｒｔ−ブチル−４−ヒドロキシメチルフェノール（すなわちＩｏｎｏｘ  １００）、２，４−（トリス−３’，５’−ｂｉ−ｔｅｒｔ−ブチル−４’−ヒドロキシベンジル）−メシチレン（すなわちＩｏｎｏｘ  ３３０）、２，４，５−トリヒドロキシブチロフェノン、ユビキノン、三級ブチルヒドロキノン（ＴＢＨＱ）、チオジプロピオン酸、トリヒドロキシブチロ��ェノン、トリプタミン、チラミン、尿酸、ビタミンＫおよび誘導体、ビタミンＱ１０、小麦胚芽油、ゼアキサンチン、またはそれらの組み合わせからなる群から選択される二次抗酸化剤を含んでなる、上記１〜８のいずれか一項に記載の組成物。
１０.  トコフェロール、パルミチン酸アスコルビル、アスコルビン酸、ローズマリー抽出物、およびそれらの組み合わせからなる群から選択される二次抗酸化剤を含んでなる、上記１〜９のいずれか一項に記載の組成物。
１１.  前記二次抗酸化剤が、ＳＤＡ富化ダイズ油の０．００１重量％〜約５重量％の範囲の量で添加される、上記１〜１０のいずれか一項に記載の組成物。
１２.  ａ．ＳＤＡ富化ダイズ油を生地に添加するステップと；
ｂ．前記生地を焼くステップ
を含んでなる、ＳＤＡ富化ダイズ油を使用してベイクド製品を形成する方法。
１３.  前記ＳＤＡ富化ダイズ油が、前記生地中で必要とされる脂肪の５％〜１００％を構成する、上記１２に記載の方法。
１４.  前記ＳＤＡ富化ダイズ油および前記安定剤が、前記生地に添加される前に混合される、上記１２に記載の方法。
【手続補正書】
【提出日】平成25年6月21日(2013.6.21)
【手続補正１】
【補正対象書類名】特許請求の範囲
【補正対象項目名】全文
【補正方法】変更
【補正の内容】
【特許請求の範囲】
【請求項１】
ステアリドン酸（ＳＤＡ）濃縮油及び少なくとも９０（重量）％のナッツ調合物を含むナッツバター配合物。
【請求項２】
ステアリドン酸（ＳＤＡ）濃縮油及び少なくとも９０（重量）％のナッツ調合物を含むナッツバタースプレッド配合物。
【請求項３】
ＳＤＡ濃縮油がＳＤＡ濃縮大豆油、ＳＤＡ濃縮キャノーラ油、ＳＤＡ濃縮エキウム油、及びそれらの組み合わせからなる群より選択される、請求項１または２のナッツバター配合物またはナッツバタースプレッド配合物。
【請求項４】
ＳＤＡ濃縮油がＳＤＡ濃縮大豆油であり、ＳＤＡ濃縮大豆油が約１０（重量）％〜約３０（重量）％のＳＤＡを含む、請求項３のナッツバター配合物またはナッツバタースプレッド配合物。
【請求項５】
ナッツ調合物がピーナッツ、カシュー、アーモンド、クルミ、ペカン、ハシバミ、マカダミアナッツ、ブラジル、ヘーゼルナッツ、ひまわりの種、ゴマ種子、かぼちゃの種、大豆、及びそれらの組み合わせからなる群より選択される、請求項１または２のナッツバター配合物またはナッツバタースプレッド配合物。
【請求項６】
ピーナッツバター配合物である、請求項１または２のナッツバター配合物またはナッツバタースプレッド配合物。
【請求項７】
ナッツ調合物が約１０（重量）％〜約２５（重量）％の量のナッツ全体および割ったナッツの少なくとも１つを含む、請求項１または２のナッツバター配合物またはナッツバタースプレッド配合物。
【請求項８】
下記のいずれか：
水素化油、半硬化油、及びそれらの組み合わせからなる群より選択される油、
モノグリセリド、及びジグリセリドの少なくとも１つ、
ピーナッツ油、
蔗糖、グルコース、果糖、蜂蜜、コーンシロップ、ブラウンシュガー、及びそれらの組み合わせからなる群より選択される甘味料、
ポリデキストロース、マルトデキストリン、コーンシロップ固形物、メトセルロース誘導体、及びそれらの組み合わせからなる群より選択される増量剤、あるいは
塩又は塩代替物、シーズニングソルト、天然ナッツ香味剤、及びそれらの組み合わせからなる群より選択される香味剤
をさらに含む、請求項１または２のナッツバター配合物またはナッツバタースプレッド配合物。
【請求項９】
フィリング及び小片からなる群より選択される少なくとも１つの追加配合をさらに含む、請求項１または２のナッツバター配合物またはナッツバタースプレッド配合物。
【請求項１０】
挽いてローストしたナッツをステアリドン酸（ＳＤＡ）濃縮油と混合してＳＤＡ濃縮ナッツ製品を作り、
ＳＤＡ濃縮ナッツ製品を製粉してナッツバター配合物を製造し、次いで、
ナッツバター配合物を冷却する
ことをさらに含む、請求項１または２のナッツバター配合物またはナッツバタースプレッド配合物の製造方法。
【請求項１１】
全脂肪ナッツをローストし、ローストされた全脂肪ナッツを製粉機内で粉砕して、ＳＤＡ濃縮油と混合されるべき挽いてローストされたナッツを得ることをさらに含む、請求項１０の方法。
【請求項１２】
ローストされたナッツが約１４０°Ｆ〜約１８０°Ｆの温度で挽かれた後、挽いてローストされたナッツがＳＤＡ濃縮油と混合される、請求項１１の方法。
【請求項１３】
挽いてローストされたナッツが約１４０°Ｆ〜約１８０°Ｆの温度条件下でＳＤＡ濃縮油と混合される、請求項１０の方法。
【請求項１４】
ＳＤＡ濃縮油がＳＤＡ濃縮大豆油である請求項１０の方法。
【請求項１５】
ＳＤＡ濃縮大豆油が約１０（重量）％〜約３０（重量）％のＳＤＡを含む、請求項１４の方法。
【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
（a）（i）第一の標的特異的プライマー配列；
（ii）標的特異的プライマー配列の5'にあるアンチタグ配列；
（iii）アンチタグ配列の5'にあるタグ配列；および
（iv）アンチタグ配列とタグ配列との間にあるブロッカー
を含む、プライマー対の第一のメンバーである第一の核酸分子と；
（b）（i）第二の標的特異的プライマー配列；
（ii）標的特異的プライマー配列の5'にあるユニバーサルアンチタグ配列；
（iii）アンチタグ配列の5'にあるユニバーサルタグ配列；および
（iv）アンチタグ配列とタグ配列との間にあるブロッカー
を含む、プライマー対の第二のメンバーである第二の核酸分子と；
（c）（i）ユニバーサルタグ配列に相補的なユニバーサルアンチタグ配列；および
（ii）標識
を含む第三の核酸分子と
を含む組成物。
【請求項２】
標識が蛍光標識である、請求項1記載の組成物。
【請求項３】
マイクロスフェアに共有結合で付着したアンチタグ配列をさらに含む、請求項1記載の組成物。
【請求項４】
複数の異なる標的配列の増幅のための複数の異なるプライマー対と、複数の固体支持体に共有結合で付着した複数の異なるアンチタグ核酸分子とを含む組成物であって、複数の異なるアンチタグ分子が、複数の異なるプライマー対の異なるタグ配列に相補的なアンチタグ配列を含み、固体支持体が、コード化されたマイクロスフェアであり、かつ異なるアンチタグ核酸分子の各々の同一性が、それが共有結合で付着しているコード化されたマイクロスフェアのコード化から決定され得る、請求項3記載の組成物。
【請求項５】
標的核酸を増幅する方法であって、
（a）（i）第一の標的特異的プライマー配列；標的特異的プライマー配列の5'にあるアンチタグ配列；アンチタグ配列の5'にあるタグ配列；およびアンチタグ配列とタグ配列との間にあるブロッカー、を含む第一のプライマーと；
（ii）第二の標的特異的プライマー配列を含む第二のプライマーと
を含む第一のプライマー対を準備する工程；
（b）レポーターを準備する工程；
（c）固体支持体に付着したアンチタグ配列を含む捕獲複合体を準備する工程；ならびに
（d）標的核酸の増幅に適した条件の下で、第一のプライマー対、レポーター、捕獲複合体、および標的核酸を含む試料を組み合わせることにより、標的核酸を増幅する工程
を含む、前記方法。
【請求項６】
増幅された核酸を捕獲複合体のアンチタグ配列とハイブリダイズさせる工程と、増幅された核酸を検出する工程とをさらに含む、請求項5記載の方法。
【請求項７】
レポーターが第二のプライマー、dNTP、またはDNAインターカレーターに付着している、請求項5記載の方法。
【請求項８】
固体支持体がマイクロスフェアである、請求項5記載の方法。
【請求項９】
マイクロスフェアが磁性であり、かつ蛍光標識されている、請求項8記載の方法。
【請求項１０】
増幅された核酸の検出が、捕獲複合体に結合した増幅された核酸配列の画像化を含む、請求項6記載の方法。
【請求項１１】
試料中の少なくとも一つの第二の標的核酸を増幅および検出する工程をさらに含み、
（a）少なくとも一つの第二のプライマー対を、標的核酸の増幅に適した条件の下で、第一のプライマー対、レポーター、捕獲複合体、および、標的核酸を含む試料と組み合わせる工程であって、第二のプライマー対の第一のプライマーが、第一のプライマー対の第一のプライマーの第一の標的特異的なプライマー配列、第一のアンチタグ配列、および第一のタグ配列とは異なる第三の標的特異的なプライマー配列、第二のアンチタグ配列、および第二のタグ配列を含む、工程、ならびに
（b）異なる増幅された標的核酸を、識別可能な捕獲複合体の異なるアンチタグ配列とハイブリダイズさせる工程
を含む、請求項5記載の方法。
【請求項１２】
捕獲複合体が空間的に識別可能である、請求項11記載の方法。
【請求項１３】
捕獲複合体が光学的に識別可能である、請求項11記載の方法。
【請求項１４】
第二のプライマーが、第二の標的特異的プライマー配列の5'にあるユニバーサルアンチタグ配列、アンチタグ配列の5'にあるユニバーサルタグ配列、およびユニバーサルアンチタグ配列とユニバーサルタグ配列との間にあるブロッカーをさらに含み、かつ、レポーターが、ユニバーサルタグ配列に相補的なユニバーサルアンチタグ配列と標識とを含む、請求項5記載の方法。
【請求項１５】
標的核酸を増幅する方法であって、
（a）（i）第一の標的特異的プライマー配列；標的特異的プライマー配列の5'にあるユニバーサルアンチタグ配列；ユニバーサルアンチタグ配列の5'にあるユニバーサルタグ配列；ユニバーサルアンチタグ配列とユニバーサルタグ配列との間にあるブロッカー；およびユニバーサルタグ配列に付着した発色団、を含む第一のプライマーと；
（ii）第二の標的特異的プライマー配列；標的特異的プライマー配列の5'にあるユニバーサルアンチタグ配列；ユニバーサルアンチタグ配列の5'にあるユニバーサルタグ配列；ユニバーサルアンチタグ配列とユニバーサルタグ配列との間にあるブロッカー；およびユニバーサルタグ配列に付着した発色団を含む、第二のプライマーと
を含む第一のプライマー対を準備する工程；
（b）（i）第一のプライマー対のタグ配列に相補的なユニバーサルアンチタグ配列；および
（ii）第一のプライマー対の発色団とのフェルスター共鳴エネルギー転移が可能な発色団
を含む標識核酸分子；ならびに
（d）標的核酸の増幅に適した条件の下で、第一のプライマー対、標識核酸分子、および標的核酸を含む試料、を組み合わせることにより、標的核酸を増幅する工程
を含む、前記方法。
【請求項１６】
標的核酸の増幅が、鎖交換活性を有するがエキソヌクレアーゼ活性は有しないポリメラーゼにより触媒される、請求項15記載の方法。
【請求項１７】
増幅された核酸を検出する工程をさらに含む、請求項15記載の方法。
【請求項１８】
検出がリアルタイムである、請求項17記載の方法。
【請求項１９】
試料が少なくとも一つの第二の標的核酸を含む、請求項15記載の方法。
【請求項２０】
標的核酸がアンプリコンである、請求項15記載の方法。
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
シャフトと、
該シャフトに結合された、角度が付けられた部分と
を具備する外科用ハンドピースのための切断チップであって、
前記角度の付けられた部分が更にフックを具備し、
前記シャフト、角度が付けられた部分、及びフックが単一部品に含まれ、
前記切断チップの遠位部が、延在したシャフトの中心線に実質的に整列される該シャフトに対する回転の軸線を有する、切断チップ。
【請求項２】
実質的に整列されることが、前記回転の軸線が、シャフトの直径の０．２５倍よりも小さい距離だけ前記延在したシャフトの中心線からオフセットすることを含む、請求項１に記載の切断チップ。
【請求項３】
実質的に整列されることが、前記回転の軸線が、シャフトの直径の０．５倍よりも小さい距離だけ前記延在したシャフトの中心線からオフセットすることを含む、請求項１に記載の切断チップ。
【請求項４】
前記フックを有しない当該切断チップの回転の軸線と、前記延在したシャフトの中心線との間の最も短い距離が、前記フックを有する当該切断チップの回転の軸線と、前記延在したシャフトの中心線との間の最も短い距離よりも大きい、請求項１に記載の切断チップ。
【請求項５】
中心から±５°で捻れ方向に往復振動されるように構成される、請求項１に記載の切断チップ。
【請求項６】
当該切断チップが、延在したシャフトの中心線と平行な軸線回りに捻れ方向に往復回転されるように構成され、
前記フックが、前記軸線に対して垂直な横方向の往復振動を低減すべく当該切断チップのバランスをとる、請求項１に記載の切断チップ。
【請求項７】
前記延在したシャフトの中心線に実質的に整列されることが、該延在したシャフトの中心線と平行であることから該延在したシャフトの中心線からのずれが５°までの範囲を含む、請求項１に記載の切断チップ。
【請求項８】
前記延在したシャフトの中心線に実質的に整列されることが、該延在したシャフトの中心線と平行であることから該延在したシャフトの中心線からのずれが１０°までの範囲を含む、請求項１に記載の切断チップ。
【請求項９】
当該切断チップの遠位部が、前記ハンドピースから、最も遠い当該切断チップの端部までの長さの１０％である、請求項１に記載の切断チップ。
【請求項１０】
シャフトを具備する第１の部分と、
該第１の部分と角度を形成する第２の部分と、
フックを形成する第３の部分と、
遠位端部と
を具備する、外科用ハンドピースのための切断チップであって、
前記第１の部分、第２の部分、第３の部分、及び遠位端部が単一部品に含まれ、
前記第２の部分、第３の部分、及び遠位端部が、延在したシャフトの中心線に実質的に整列される該シャフトに対する回転の軸線を共に有する、切断チップ。
【請求項１１】
実質的に整列されることが、前記回転の軸線が、シャフトの直径の０．２５倍よりも小さい距離だけ前記延在したシャフトの中心線からオフセットすることを含む、請求項１０に記載の切断チップ。
【請求項１２】
実質的に整列されることが、前記回転の軸線が、シャフトの直径の０．５倍よりも小さい距離だけ前記延在したシャフトの中心線からオフセットすることを含む、請求項１０に記載の切断チップ。
【請求項１３】
前記フックを有しない当該切断チップの回転の軸線と、前記延在したシャフトの中心線との間の最も短い距離が、前記フックを有する当該切断チップの回転の軸線と、前記延在したシャフトの中心線との間の最も短い距離よりも大きい、請求項１０に記載の切断チップ。
【請求項１４】
中心から±５°で捻れ方向に往復振動されるように構成される、請求項１０に記載の切断チップ。
【請求項１５】
当該切断チップが、前記延在したシャフトの中心線と平行な軸線上において捻れ方向に往復回転されるように構成され、
前記第３の部分が、前記軸線に対して垂直な横方向の往復振動を低減すべく当該切断チップのバランスをとる、請求項１０に記載の切断チップ。
【請求項１６】
実質的に整列されることが、前記延在したシャフトの中心線と平行であることから該延在したシャフトの中心線からのずれが５°までの範囲を含む、請求項１０に記載の切断チップ。
【請求項１７】
前記延在したシャフトの中心線に実質的に整列されることが、該延在したシャフトの中心線と平行であることから該延在したシャフトの中心線からのずれが１０°までの範囲を含む、請求項１０に記載の切断チップ。
【請求項１８】
当該切断チップの第２の部分、第３の部分、及び遠位端部が当該切断チップの長さの１０％である、請求項１０に記載の切断チップ。
【請求項１９】
前記フックの構成が、前記延在したシャフトの中心線に対して少なくとも三回方向を変化させる、請求項１０に記載の切断チップ。
【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
Ｔｏｌｌ様受容体２に特異的に結合するか、Ｔｏｌｌ様受容体２の機能に拮抗する抗体またはその抗原結合部位であって、
前記の拮抗は、ＣＤ３２（Ｆｃγ受容体ＩＩ）の結合とは独立に介在され、
Ｔｏｌｌ様受容体２に結合する抗体は、配列番号：１のアミノ酸配列有する軽鎖の可変領域、若しくは２０アミノ酸以上の長さにおいて配列番号：１のアミノ酸配列と９０％以上の相同性を有するアミノ酸配列、及び／または
配列番号：４のアミノ酸配列を含む重鎖の可変領域、若しくは２０アミノ酸以上の長さにおいて配列番号：４のアミノ酸配列と９０％以上の相同性を有するアミノ酸配列を含む、
抗体またはその抗原結合部位。
【請求項２】
軽鎖の可変領域がκ定常領域に接続される、請求項１記載の抗体またはその抗原結合部位。
【請求項３】
軽鎖の可変領域は、免疫グロブリンＧのサブクラスのアイソタイプ４（ＩｇＧ４）の抗体由来の少なくとも１つの定常領域に結合する、請求項１または２に記載の抗体またはその抗原結合部位。
【請求項４】
重鎖のヒンジ領域のアミノ酸残基２４１は、セリン残基からプロリン残基（Ｓ２４１Ｐ）に置換される、請求項３に記載の抗体またはその抗原結合部位。
【請求項５】
軽鎖の可変領域が配列番号：１のアミノ酸配列を含む、及び／または
重鎖の可変領域が配列番号：４のアミノ酸配列を含む、請求項１から４のいずれか一項に記載の軽鎖は、配列番号：２のアミノ酸を含む、請求項１から４のいずれか一項に記載の抗体またはその抗原結合部位。
【請求項６】
軽鎖は、配列番号：２のアミノ酸を含む、請求項１から５のいずれか一項に記載の抗体またはその抗原結合部位。
【請求項７】
重鎖は、配列番号：５のアミノ酸配列を含む、請求項１から６のいずれか一項に記載の抗体またはその抗原結合部位。
【請求項８】
抗体は、完全なヒト化抗体である、請求項１から７のいずれか一項に記載の抗体またはその抗原結合部位。
【請求項９】
単離された抗体であるか、その抗原結合部位である、請求項１から８のいずれか一項に記載の抗体またはその抗原結合部位。
【請求項１０】
１×１０-8以下のＫDでヒトＴｏｌｌ様受容体２と結合する、請求項１〜９のいずれか一項に記載の抗体またはその抗原結合部位。
【請求項１１】
抗体またはその抗原結合部位は、ヒトＴｏｌｌ様受容体２、マウスＴｏｌｌ様受容体２およびサルＴｏｌｌ様受容体２に特異的な結合を有する、請求項１〜１０のいずれか一項に記載の抗体またはその抗原結合部位。
【請求項１２】
軽鎖の可変領域が、配列番号：７、配列番号：８及び配列番号：９のうち少なくとも１のアミノ酸配列を含む、及び／または
重鎖の可変領域が、配列番号：１０、配列番号：１１及び配列番号：１２のうち少なくとも１のアミノ酸配列を含む、請求項１〜１１のいずれか一項に記載の抗体またはその抗原結合部位。
【請求項１３】
抗体またはその抗原結合部位が、軽鎖の可変領域及び重鎖の可変領域を含む、請求項１〜１２のいずれか一項に記載の抗体またはその抗原結合部位。
【請求項１４】
請求項１から１３のいずれか一項に記載の抗体またはその抗原結合部位をコードする核酸分子。
【請求項１５】
請求項１４に記載の核酸分子を含む、発現ベクター。
【請求項１６】
請求項１５に記載の発現ベクターを含む、宿主細胞。
【請求項１７】
請求項１６の宿主細胞で、抗体またはその抗原結合部位を発現する工程、及び
宿主細胞から抗体またはその抗原結合部位を単離する工程を備える、
請求項１から１３のいずれか一項に記載のＴｏｌｌ様受容体２の抗体またはその抗原結合部位を調製する方法。
【請求項１８】
Ｔｏｌｌ様受容体２によって介在される炎症、呼吸もしくは自己免疫の状態または疾患の治療用薬剤を調製する方法であって、前記方法が、請求項１から１３のいずれか一項に記載の抗体またはその結合部位を提供する工程を含む、方法。
【請求項１９】
請求項１から１３のいずれか一項に記載の抗体またはその抗原結合部位を産生する、ハイブリドーマ細胞株。
【請求項２０】
ヒトＴｏｌｌ様受容体２と３×１０-8Ｍ以下のＫDで結合し、ＣＤ３２（Ｆｃγ受容体ＩＩ）に結合する抗体またはその抗原結合部位とは独立にＴｏｌｌ様受容体２の拮抗に介在し、
エピトープは、参照抗体に認識され、
前記参照抗体は、配列番号：４のアミノ酸配列を含む重鎖の可変領域および配列番号：１のアミノ酸配列を含む軽鎖の可変領域を含む、
単離されたモノクローナル抗体またはその抗原結合部位。
【請求項２１】
参照抗体が、配列番号：５の重鎖と配列番号：２の軽鎖を含む、請求項２０に記載の単離されたモノクローナル抗体またはその抗原結合部位。
【請求項２２】
抗体またはその抗原結合部位は、ヒトＴｏｌｌ様受容体２、マウスＴｏｌｌ様受容体２およびサルＴｏｌｌ様受容体２に特異的な結合を有する、請求項２０または２１に記載の抗体またはその抗原結合部位。
【手続補正２】
【補正対象書類名】明細書
【補正対象項目名】発明の名称
【補正方法】変更
【補正の内容】
【発明の名称】Ｔｏｌｌ様受容体２へのヒト化抗体またはその抗原結合部位
【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
部屋の中の閉じられた空間内の細菌および前記部屋の中の表面の生物膜に含まれる細菌を駆除するプロセスであって、
少なくとも６０％の相対湿度で、２〜３５０重量ｐｐｍの濃度のオゾンおよび０．２〜１０重量％の量の過酸化水素を含む消毒大気を前記部屋で生成するステップと、
少なくとも３０分である、前記生物膜内の細菌を少なくとも５ｌｏｇの減少によって実質的に死滅させるのに有効な時間にわたって、内部に生細菌を有する生物膜を備えた表面を前記消毒大気に曝露するステップと、
続いて前記大気からオゾンを０．０４ｐｐｍ以下まで除去するステップと、を含むことを特徴とする、プロセス。
【請求項２】
前記曝露の時間が、約３０分〜約１２０分、または、約６０分〜約１０５分、または、約９０分である、請求項１に記載のプロセス。
【請求項３】
処置ガス大気中の好ましい前記オゾンの量が、２０〜３５０ｐｐｍ、または、２０〜２００ｐｐｍ、または、２０〜９０ｐｐｍ、または、３５〜８０ｐｐｍである、請求項１または２に記載のプロセス。
【請求項４】
前記消毒大気中の前記過酸化水素の量が、１〜５％である、請求項１〜３のいずれか１項に記載のプロセス。
【請求項５】
前記消毒大気中の温度が、１５〜３０℃である、請求項１〜４のいずれか１項に記載のプロセス。
【請求項６】
駆除される前記細菌が、クロストリジウム・ディフィシレ（Ｃ．ｄｉｆｆｉｃｉｌｅ）；大腸菌；緑膿菌；メチシリン耐性黄色ブドウ球菌（ＭＲＳＡ）；バンコマイシン耐性腸球菌（ＶＲＥ）；または前記細菌の２つ以上の組み合わせである、請求項１〜５のいずれか１項に記載のプロセス。
【請求項７】
前記部屋の中の多孔質表面および繊維表面を、前記消毒大気に曝露している間、物理的に撹拌するステップをさらに含み、
選択的に、前記物理的撹拌が、剛毛を当てて行われ、
さらに選択的に、前記物理的撹拌が、空気圧ジェットを当てて行われ、
さらに選択的に、前記物理的撹拌が、物理的な撹乱を起こすことができる超音波エネルギー、高周波エネルギー、または電磁波を当てて行われる、請求項１〜６のいずれか１項に記載のプロセス。
【請求項８】
前記生物膜を備えた表面が、前記消毒大気の局所ストリームに曝露される、請求項１〜７のいずれか１項に記載のプロセス。
【請求項９】
前記生物膜を備えた表面が前記消毒大気に曝露されるときの前記消毒大気の圧力が、大気圧よりも高く、好ましくは、１４．７〜１００ｐｓｉである、請求項１〜８のいずれか１項に記載のプロセス。
【請求項１０】
部屋、その中の表面およびその中の機器を消毒するための運搬可能なシステムであって、
オゾンを含む気体混合物を前記部屋に放出するためのオゾン生成器と、
放出されるオゾンの量を制御するように構成されたオゾン制御装置と、
制御された量の過酸化水素を前記部屋に放出するための過酸化水素の供給源と、
前記過酸化水素およびオゾンを前記部屋に放出するための手段と、
処置中に前記部屋の相対湿度を増減するように構成された湿度調節手段と、
後の人間の利用のために前記部屋の大気中のオゾンを安全なレベルまで破壊するように構成されたオゾン除去装置と、を含むことを特徴とする、システム。
【請求項１１】
前記過酸化水素およびオゾンを前記部屋に放出するための前記手段が、出口端部を有する放出ワンドを備え、
好ましくは、前記放出ワンドの前記出口端部が、前記出口端部が当てられる表面を撹拌して撹乱するための払い落としシステムを備え、
さらに好ましくは、前記払い落としシステムが、ジェットノズル出口である、請求項１０に記載のシステム。
【請求項１２】
前記払い落としシステムが、擦る動作をするための剛毛を備える、請求項１０または１１に記載のシステム。
【請求項１３】
過酸化水素ガスおよびオゾンを放出するための前記手段が、前記ワンドをバイパスする出口をさらに備える、請求項１０〜１２のいずれか１項に記載のシステム。
【請求項１４】
前記システムを積んで運搬するための台車をさらに備える、請求項１０〜１３のいずれか１項に記載のシステム。
【請求項１５】
前記オゾン生成器は、酸素からオゾンの放電生成、もしくは、紫外線への酸素または空気の曝露に基づいている、請求項１０〜１４のいずれか１項に記載のシステム。